(57)【要約】【課題】肌触りがよく、体液の流動を抑制することができる透液性表面シートを提供する。【解決手段】透液性表面シート１Ａでは、フィラメント３が縦方向へ略並列して縦方向へ延びる一群を形成し、それらフィラメント３の一群が縦方向へ連続して延びる接合線４を介して親水性繊維不織布２に固着され、不織布２から延びるそれらフィラメント３の自由部３ｂが、接合線４を基点に不織布２の外面から上方へ向かって起毛しつつ、互いに交絡することで嵩高な綿体５（ワタ）を形成している。【選択図】      図１
2004261368.tif 000002
【特許請求の範囲】
【請求項１】
透液性のベースシートと、前記ベースシートの外面に位置して第１の方向へ延びる複数条のフィラメントとから構成され、体液を吸収、保持する使い捨て着用物品の肌当接側に配置される透液性表面シートにおいて、
前記フィラメントが、前記第１の方向と交差する第２の方向へ略並列して該第２の方向へ延びる一群を形成し、それらフィラメントの一群が、前記第２の方向へ連続して延びる少なくとも１条の接合線を介して前記ベースシートに固着され、前記ベースシートから延びるそれらフィラメントの自由部が、前記接合線を基点に前記ベースシートの外面から上方へ向かって起毛することで嵩高な綿体を形成していることを特徴とする前記表面シート。
【請求項２】
前記フィラメントの自由部が、互いに交絡している請求項１記載の表面シート。
【請求項３】
前記フィラメントの自由部が、捲縮している請求項１または請求項２に記載の表面シート。
【請求項４】
前記表面シートでは、前記第２の方向へ向かってそれらフィラメントの一群の坪量に差が設けられ、前記綿体の嵩が前記第２の方向へ向かって異なっている請求項１ないし請求項３いずれかに記載の表面シート。
【請求項５】
前記表面シートでは、前記第２の方向へ向かってそれらフィラメントの自由部の長さに差が設けられ、前記綿体の嵩が前記第２の方向へ向かって異なっている請求項１ないし請求項４いずれかに記載の表面シート。
【請求項６】
前記フィラメントの一群の坪量が、２０〜７００ｇ／ｍ２の範囲、前記フィラメントの自由部の長さが、１０〜１００ｍｍの範囲にあり、前記フィラメントの繊度が、１．２〜２０．０ｄｔｅｘの範囲にある請求項１ないし請求項５いずれかに記載の表面シート。
【請求項７】
前記ベースシートの外面には、少なくとも２つの前記綿体が形成されている請求項１ないし請求項６いずれかに記載の表面シート。
【発明の詳細な説明】
【０００１】
【発明の属する技術分野】
本発明は、体液を吸収、保持する使い捨て着用物品の肌当接側に配置される透液性表面シートに関する。
【０００２】
【従来の技術】
体液を吸収、保持する使い捨て着用物品の肌当接側に配置された透液性の表面層がある（特許文献１参照）。特許文献１に開示の表面層は、物品の縦方向へ並行して延びるとともに横方向へ並列する複数条の熱可塑性合成樹脂フィラメントから構成されている。フィラメントは、その坪量が１０〜２００ｇ／ｍ２の範囲にあり、その繊度が１〜１０ｄ（デニール）の範囲にある。フィラメントどうしは、多数の熱融着線を介して固着されている。熱融着線は、横方向へ間欠的に延びるとともに、縦方向へ所定間隔で並んでいる。
【０００３】
この表面層は、それにフィラメントが使用されているので、柔軟性とクッション性とを有し、それを使用した物品の着用感がよく、さらに、複数条のフィラメントが縦方向へ互いに並行して延びているので、フィラメントの毛細管現象によって体液を縦方向へ素早く拡散させることができ、体液の縦方向への流動を促進することができる。
【０００４】
【特許文献１】
特開平１０−１５１１５２号公報
【０００５】
【発明が解決しようとする課題】
特許文献１に開示の表面層では、それを構成するフィラメントが上下方向へ起伏せずに縦方向へ略扁平に延びているので、表面層の物品上方への嵩がほとんどなく、表面層が一定の圧縮性や柔軟性を有するものの、着用者の肌に接する表面層の肌触りが未だ不十分である。また、この表面層は、フィラメントの毛細管現象によって体液がフィラメントの延びる方向へ素早く拡散するので、体液の流動を抑制することが難しい。
【０００６】
本発明の目的は、肌触りがよく、体液の流動を抑制することができる透液性表面シートを提供することにある。
【０００７】
【課題を解決するための手段】
前記課題を解決するための本発明の前提は、透液性のベースシートと、前記ベースシートの外面に位置して第１の方向へ延びる複数条のフィラメントとから構成され、体液を吸収、保持する使い捨て着用物品の肌当接側に配置される透液性表面シートである。
【０００８】
前記前提における本発明の特徴は、それらフィラメントが前記第１の方向と交差する第２の方向へ略並列して該第２の方向へ延びる一群を形成し、それらフィラメントの一群が前記第２の方向へ連続して延びる少なくとも１条の接合線を介して前記ベースシートに固着され、前記接合線から延びるそれらフィラメントの自由部が前記接合線を基点に前記ベースシートの外面から上方へ向かって起毛することで嵩高な綿体を形成していることにある。
【０００９】
本発明は、以下の実施態様を有する。
（１）前記フィラメントの自由部が、互いに交絡している。
（２）前記フィラメントの自由部が、捲縮している。
（３）前記表面シートでは、前記第２の方向へ向かってそれらフィラメントの一群の坪量に差が設けられ、前記綿体の嵩が前記第２の方向へ向かって異なっている。
（４）前記表面シートでは、前記第２の方向へ向かってそれらフィラメントの自由部の長さに差が設けられ、前記綿体の嵩が前記第２の方向へ向かって異なっている。
（５）前記フィラメントの一群の坪量が、２０〜７００ｇ／ｍ２の範囲、前記フィラメントの自由部の長さが、１０〜１００ｍｍの範囲にあり、前記フィラメントの繊度が、１．２〜２０．０ｄｔｅｘの範囲にある。
（６）前記ベースシートの外面には、少なくとも２つの前記綿体が形成されている。
【００１０】
【発明の実施の形態】
添付の図面を参照し、本発明に係る透液性表面シートの詳細を説明すると、以下のとおりである。
【００１１】
図１，２は、一例として示す透液性表面シート１Ａの斜視図と、図１のＩＩ−ＩＩ線端面図とであり、図３は、図１のＩＩＩ−ＩＩＩ線端面図である。図１では、横方向を矢印Ｌ、縦方向を矢印Ｍで示し、上下方向を矢印Ｎで示す。なお、この実施の形態では、横方向が特許請求の範囲の第１の方向に相当し、縦方向が特許請求の範囲の第２の方向に相当する。ただし、横方向を特許請求の範囲の第２の方向とし、縦方向を特許請求の範囲の第１の方向とすることもできる。
【００１２】
表面シート１Ａは、親水性繊維不織布２（透液性のベースシート）と、不織布２の外面に位置する複数条の親水性フィラメント３とから構成されている。この表面シート１Ａは、排泄物を吸収、保持する使い捨て着用物品の肌当接側に配置される。
【００１３】
不織布２には、スパンレース、ニードルパンチ、メルトブローン、サーマルボンド、スパンボンド、ケミカルボンドの公知の製法によって製造されたものを使用することができる。不織布２には、メルトブローン製法によって製造された高い耐水性を有する繊維不織布の少なくとも片面に、スパンボンド製法によって製造された高い強度と柔軟性とを有する繊維不織布をラミネートした複合不織布（ＳＭ不織布またはＳＭＳ不織布）を使用することもできる。
【００１４】
不織布２は、親水化処理が施された熱可塑性合成樹脂繊維、半合成繊維、再生繊維のうちのいずれか、または、それら繊維を混合した複合繊維から作ることができる。合成樹脂繊維には、特に限定はないが、ポリエステル系、ポリアクリロニトリル系、ポリ塩化ビニル系、ポリエチレン系、ポリプロピレン系、ポリスチレン系を使用することができる。合成樹脂繊維には、芯鞘型複合繊維、並列型複合繊維、異型中空繊維、微多孔繊維、接合型複合繊維を使用することもできる。半合成繊維や再生繊維には、セルロース系、タンパク質系を使用することができる。半合成繊維や再生繊維には、親水性を向上させるため、親水化処理を施すこともできる。
【００１５】
不織布２は、弾性的な伸縮性を有していてもよい。伸縮性の不織布としては、メルトブローンやスパンボンドの各製法により製造された不織布を使用することができる。伸縮性の不織布は、熱可塑性エラストマー樹脂を溶融、紡糸した伸縮性繊維から作ることができる。伸縮性繊維には、親水化処理を施す必要がある。
【００１６】
フィラメント３は、それらの複数条が不織布２の縦方向へ略並行して並び、縦方向へ延びる一群を形成している。それらフィラメント３の一群は、縦方向へ連続して延びる１条の接合線４を介して不織布２に固着されている。フィラメント３は、不織布２に固着された基端部３ａと、不織布２に非固着の自由部３ｂとを有する。それらフィラメント３では、接合線４の両側から横方向へ延びる自由部３ｂが接合線４（基端部３ａ）を基点として不織布２の外面から上方へ起毛している。それらフィラメント３の自由部３ｂは、捲縮かつ互いに交絡し、縦方向へ長い嵩高な綿体５（ワタ）を形成している。
【００１７】
フィラメント３には、不織布２と同様に、親水化処理が施された熱可塑性合成樹脂繊維、半合成繊維、再生繊維のうちのいずれか、または、それら繊維を混合した複合繊維を使用することができ、芯鞘型複合繊維、並列型複合繊維、異型中空繊維、微多孔繊維、接合型複合繊維を使用することもできる。
【００１８】
フィラメント３は、それらの一群の坪量が２０〜７００ｇ／ｍ２の範囲にあり、その自由部３ｂの長さが１０〜１００ｍｍの範囲にある。フィラメント３の一群の坪量が２０ｇ／ｍ２未満かつ自由部３ｂの長さが１０ｍｍ未満では、自由部３ｂから形成された綿体５の嵩を大きくすることができず、綿体５の圧縮性と柔軟性とが低下してしまう。フィラメント３の一群の坪量が７００ｇ／ｍ２を超過かつ自由部の長さが１００ｍｍを超過すると、綿体５の嵩が必要以上に大きくなり、表面シート１Ａを着用物品に使用したときに、綿体５が嵩張って着用した物品に対する違和感がある。フィラメント３は、その繊度が１．２〜２０．０ｄｔｅｘの範囲、好ましくは、１．２〜６．０ｄｔｅｘの範囲にある。フィラメント３の繊度が２０．０ｄｔｅｘを超過すると、綿体５の剛性が増加し、綿体５の柔軟性が低下してしまう。それらフィラメント３の一群の坪量は、綿体５全域にわたって略均一であり、綿体５の嵩は、その前域にわたって略均一である。
【００１９】
この表面シート１Ａの製造方法の一例は、以下のとおりである。親水性繊維不織布２の外面に横方向へ延びる複数条のフィラメント３を配置し、それらフィラメント３の両端を略一致させた状態で、それらフィラメント３を縦方向へ略並行に整列させる。次に、縦方向へ連続して延びる接合線４を介して不織布２にそれらフィラメント３を固着する。接合線４は、フィラメント３の長さを略二分する位置に形成されている。ただし、接合線４をフィラメント３の両端のいずれか一方に偏倚した位置に形成してもよい。
【００２０】
接合線４を介して不織布２にフィラメント３を固着した後、接合線４の両側に位置して横方向へ延びるフィラメント３の自由部３ｂを不織布２の外面から上方へ起毛させるとともに、それらフィラメント３の自由部３ｂどうしを互いに交絡させる。表面シート１Ａには、それらフィラメント３の互いに交絡する自由部３ｂから１つの綿体５が形成される。
【００２１】
不織布２にフィラメント３を固着するには、熱融着の技術を利用したり、接着剤を使用することができる。熱融着を利用する場合は、不織布２が熱可塑性合成樹脂繊維から作られているか、または、不織布２が熱可塑性合成樹脂繊維を含む必要があり、フィラメント３に熱可塑性合成樹脂繊維を使用する必要がある。熱融着の技術には、超音波接合や熱プレス接合がある。接着剤を使用する場合は、不織布２やフィラメント３に使用する繊維に特に限定はない。接着剤には、ホットメルト型接着剤を使用することが好ましいが、ホットメルト型の他に、アクリル系接着剤やゴム系接着剤を使用することもできる。
【００２２】
図４，５は、他の一例として示す透液性表面シート１Ｂの斜視図と、図４のＶ−Ｖ線端面図とであり、図６は、図４のＶＩ−ＶＩ線端面図である。図４では、横方向を矢印Ｌ、縦方向を矢印Ｍで示し、上下方向を矢印Ｎで示す。
【００２３】
表面シート１Ｂは、親水性繊維不織布２（透液性のベースシート）と、不織布２の外面に位置する複数条の親水性フィラメント３とから構成されている点において図１のそれと同一である。この表面シート１Ｂを構成する繊維不織布２とフィラメント３とは、図１のそれらと同一の繊維を使用することができる。この表面シート１Ｂが図１のそれと異なる点は、フィラメント３から形成された綿体５が横方向へ３つ並ぶとともに、綿体５の嵩が縦方向へ向かって異なることにある。
【００２４】
フィラメント３は、その複数条が不織布２の縦方向へ略並行して並び、縦方向へ延びる一群を形成している。それらフィラメント３の一群は、その３つが横方向へ略等しい間隔で並んでいる。フィラメント３の一群は、縦方向へ連続して延びる１条の接合線４を介して不織布２に固着されている。フィラメント３は、不織布２に固着された基端部３ａと、不織布２に非固着の自由部３ｂとを有する。それらフィラメント３では、接合線４の両側から横方向へ延びる自由部３ｂが接合線４（基端部３ａ）を基点として不織布２の外面から上方へ起毛している。それらフィラメント３の自由部３ｂは、捲縮かつ互いに交絡し、縦方向へ長い嵩高な綿体５（ワタ）を形成している。
【００２５】
表面シート１Ｂでは、縦方向へ向かってそれらフィラメント３の一群の坪量に差が設けられ、縦方向へ向かってそれらフィラメント３の自由部３ｂの長さに差が設けられている。フィラメント３は、それらの一群の坪量が綿体５の一端部６から他端部７に向かって次第に大きくなるとともに、その自由部３ｂの長さが綿体５の一端部６から他端部７に向かって次第に大きくなっている。それら綿体５は、その一端部６から他端部７へ向かってその嵩が次第に大きくなっている。
【００２６】
綿体５の一端部６におけるフィラメント３の一群の坪量は、２０〜８０ｇ／ｍ２の範囲、好ましくは、４０〜６０ｇ／ｍ２の範囲にある。綿体５の他端部７におけるフィラメント３の一群の坪量は、３００〜７００ｇ／ｍ２の範囲、好ましくは、４００〜５００ｇ／ｍ２の範囲にある。綿体５の一端部６におけるフィラメント３の自由部３ｂの長さは、１０〜３０ｍｍの範囲にあり、綿体５の他端部７におけるフィラメント３の自由部３ｂの長さは、３０〜１００ｍｍの範囲にある。なお、綿体５の嵩に差異を設けるには、フィラメント３の一群の坪量とフィラメント３の自由部３ｂの長さとのうちの少なくとも一方に差を設ければよい。なお、フィラメント３の繊度は、図１のそれと同一である。
【００２７】
一端部６におけるフィラメント３の一群の坪量が２０ｇ／ｍ２未満かつ一端部６におけるフィラメント３の自由部３ｂの長さが１０ｍｍ未満では、自由部３ｂから形成された綿体５の一端部６における嵩を大きくすることができず、綿体５の一端部６における圧縮性と柔軟性とが低下してしまう。他端部７におけるフィラメント３の一群の坪量が７００ｇ／ｍ２を超過かつ他端部７におけるフィラメント３の自由部３ｂの長さが１００ｍｍを超過すると、綿体５の嵩が必要以上に大きくなり、表面シート１Ｂを着用物品に使用したときに、綿体５が嵩張って着用した物品に対する違和感がある。
【００２８】
この表面シート１Ｂの製造方法の一例は、以下のとおりである。親水性繊維不織布２の外面に横方向へ延びる複数条のフィラメント３を配置し、それらフィラメント３を縦方向へ略並行に整列させる。フィラメント３の一端部６の坪量と他端部７のそれとが異なるように、一端部６よりも他端部７に多くのフィラメント３を配置する。
【００２９】
次に、縦方向へ延びる３条の接合線４を介して不織布２にフィラメント３を固着する。接合線４は、横方向へ略等しい間隔で並んでいる。接合線４を介して不織布２にフィラメント３を固着した後、接合線４の間においてそれらフィラメント３を縦方向へ切断する。フィラメント３を切断する場合、その一端部６におけるフィラメント３の自由部３ｂの長さを他端部７におけるフィラメント３のそれよりも短くするため、一端部６におけるフィラメント３の一部を切除する。
【００３０】
次に、接合線４の両側に位置して横方向へ延びるフィラメント３の自由部３ｂを不織布２の外面から上方へ起毛させるとともに、それらフィラメント３の自由部３ｂどうしを互いに交絡させる。表面シート１Ｂには、それらフィラメント３の互いに交絡する自由部３ｂから３つの綿体５が形成される。不織布２にフィラメント３を固着するには、熱融着の技術を利用したり、接着剤を使用することができる。
【００３１】
それら図示の表面シート１Ａ，１Ｂは、綿体５が不織布２の外面から上方へ起毛する複数条のフィラメント３から形成されているので、綿体５が高い圧縮性と良好な柔軟性とを有し、着用者の肌に接するシート１Ａ，１Ｂの肌触りを向上させることができる。それら表面シート１Ａ，１Ｂは、不織布２とともに綿体５が自由に変形し、綿体５が着用者の動作に追従することができる。表面シート１Ａ，１Ｂは、使い捨て着用物品の肌当接側に配置することで物品の着用感が向上するので、着用物品に使用するシート素材として好適である。
【００３２】
図４の表面シート１Ｂは、綿体５の嵩が縦方向へ向かって異なり、綿体５の一端部６における体液の流動と比較し、綿体５の他端部７における体液の流動が抑制されるので、綿体５を利用して表面シート１Ｂにおける体液の流動方向や流動量を調節することができる。
【００３３】
それら表面シート１Ａ，１Ｂでは、綿体５の個数に特に限定はなく、シート１Ａ，１Ｂに２つまたは４つ以上の綿体５が形成されていてもよい。表面シート１Ａ，１Ｂでは、綿体５が横方向へ延びていてもよく、２つ以上の綿体５が縦方向へ間欠的に並んでいてもよい。フィラメント３は、その自由部３ｂどうしが互いに交絡していなくてもよく、自由部３ｂが捲縮していなくてもよい。綿体５では、フィラメント３の一群が２条の接合線４を介して不織布２に固着されていてもよい。
【００３４】
図１の表面シート１Ａでは、綿体５の嵩が縦方向へ向かって異なっていてもよい。図４の表面シート１Ｂでは、綿体５の嵩がその全域にわたって略均一であってもよく、綿体５の嵩がその一端部６で大きく、他端部７で小さくてもよい。
【００３５】
なお、透液性のベースシートには、親水性繊維不織布２の他に、多数の開孔を有する疎水性繊維不織布、微細な多数の開孔を有するプラスチックフィルムのいずれかを使用することもできる。
【００３６】
図７，８は、図１の表面シート１Ａを使用した使い捨ての生理用ナプキン１０の部分破断斜視図と、図７のＶＩＩＩ−ＶＩＩＩ線矢視断面図とであり、図９は、図７のＩＸ−ＩＸ線矢視断面図である。図７では、横方向を矢印Ｌ、縦方向を矢印Ｍで示し、上下方向を矢印Ｎで示す。なお、表裏面シート１Ａ，１１の内面とは、コア１２に対向する面をいい、それらシート１Ａ，１１の外面とは、コア１２に非対向の面をいう。
【００３７】
ナプキン１０は、肌当接側に位置する透液性表面シート１Ａと、肌非当接側に位置する不透液性裏面シート１１と、それらシート１Ａ，１１の間に介在する吸液性コア１２とから構成されている。ナプキン１０は、縦方向に前域１３および後域１５と、前後域１３，１５の間に位置する中間域１４とを有する。ナプキン１０では、コア１２の周縁１６から周方向外方へ延びる表裏面シート１Ａ，１１の周縁部１７，１８が互いに重なり合い、周縁部１７，１８においてそれらシート１Ａ，１１の内面どうしが固着されている。
【００３８】
表面シート１Ａは、親水性繊維不織布２と、不織布２の外面に位置する複数条の親水性フィラメント３とから構成されている。表面シート１Ａは、フィラメント３の自由部３ｂから形成された１つの綿体５を有する。綿体５は、ナプキン１０の前後域１３，１５と中間域１４とに位置し、それら域１３，１４，１５の略中央を縦方向へ延びている。綿体５は、それら域１３，１４，１５のうちの少なくとも中間域１４に形成されていればよい。裏面シート１１の外面には、粘着剤を塗布した粘着部１９が形成されている。粘着部１９は、剥離シート２０に被覆、保護されている。コア１２は、表裏面シート１Ａ，１１のうちの少なくとも一方の内面に固着されている。
【００３９】
ナプキン１０を着用するには、剥離シート２０を剥がして粘着部１９を露出させ、粘着部１９を介してナプキン１０をショーツの内側に貼付した後、ショーツを着用する。ショーツを着用すると、表面シート１Ａの綿体５が着用者の股間部に接する。ナプキン１０は、不織布２の上方へ起毛する複数条のフィラメント３が綿体５を形成し、綿体５が高い圧縮性と良好な柔軟性とを有するので、表面シート１Ａが不織布２のみから形成されている場合と比較し、表面シート１Ａの肌触りがよく、ナプキン１０の着用感が向上する。
【００４０】
このナプキン１０は、それに排泄された経血が綿体５に滲入する。経血は、綿体５から不織布２を透過してコア１２に吸収、保持される。このナプキン１０は、その前後域１３，１５と中間域１４とに綿体５が形成され、経血が綿体５の毛細管現象によって綿体５に滲入した後、不織布２に達するので、経血が不織布２の外面に直接排泄された場合と比較し、経血が不織布２の外面を拡散することはなく、経血のナプキン１０周縁への拡散を防ぐことができる。ナプキン１０は、その周縁からの経血の漏れを防ぐことができる。
【００４１】
図１０，１１は、図４の表面シート１Ｂを使用した使い捨ておむつ３０の部分破断斜視図と、図１０のＸＩ−ＸＩ線矢視断面図とであり、図１２は、図１０のＸＩＩ−ＸＩＩ線矢視断面図である。図１０では、横方向を矢印Ｌ、縦方向を矢印Ｍで示し、上下方向を矢印Ｎで示す。なお、表裏面シート１Ｂ，３１や防漏シート４０の内面とは、コア３２に対向する面をいい、それらシート１Ｂ，３１，４０の外面とは、コア３２に非対向の面をいう。
【００４２】
おむつ３０は、肌当接側に位置する透液性表面シート１Ｂと、肌非当接側に位置する不透液性裏面シート３１と、表裏面シート１Ｂ，３１の間に介在する吸液性コア３２とから構成されている。おむつ３０は、縦方向に前胴周り域３３および後胴周り域３５と、それら胴周り域３３，３５の間に位置する股下域３４とを有する。おむつ３０は、その着用時に前後胴周り域３３，３５を連結するオープン型のものである。
【００４３】
おむつ３０は、コア３２の両端縁３６の外側に位置して横方向へ延びる一対のエンドフラップ３８と、コア３２の両側縁３７の外側に位置して縦方向へ延びる一対のサイドフラップ３９とを有する。股下域３４では、サイドフラップ３９がおむつ３０の横方向内方へ向かって弧を画いている。おむつ３０は、その平面形状が実質的に砂時計型を呈する。サイドフラップ３９には、縦方向へ延びる一対の不透液性防漏シート４０が取り付けられている。
【００４４】
表面シート１Ｂは、親水性繊維不織布２と、不織布２の外面に位置する複数条の親水性フィラメント３とから構成されている。表面シート１Ｂは、フィラメント３の自由部３ｂから形成された３つの綿体５を有する。それら綿体５は、おむつ３０の前胴周り域３３と股下域３４の前半分とに位置し、それら域３３，３４を縦方向へ延びるとともに、それら域３３，３４の横方向へ略並行して並んでいる。コア３２は、表裏面シート１Ｂ，３１のうちの少なくとも一方の内面に固着されている。
【００４５】
防漏シート４０は、コア３２の両側縁３６の外側に位置して縦方向へ延びる固定側部４１と、表面シート１Ｂの上方へ起立性向を有して縦方向へ延びる可動部４２と、前後胴周り域３３，３５に位置しておむつ３０の横方向内方へ倒伏した固定両端部４３とを有する。可動部４２の上方には、縦方向へ延びる伸縮性弾性部材４４が収縮可能に取り付けられている。弾性部材４４は、可動部４２の一部に覆われた状態で、可動部４２に固着されている。おむつ３０が表面シート１Ｂを内側にして縦方向へ湾曲すると、弾性部材４４が収縮して防漏シート４０の可動部４２が表面シート１Ｂの上方へ起立し、可動部４２が排泄物に対する障壁を形成する。
【００４６】
エンドフラップ３８は、コア３２の端縁３６から縦方向外方へ延びる表裏面シート１Ｂ，３１の端部４５，４６から形成されている。エンドフラップ３８では、表裏面シート１Ｂ，３１の端部４５，４６が重なり合い、端部４５，４６においてそれらシート１Ｂ，３１の内面どうしが固着されている。防漏シート４０の固定両端部４３は、表面シート１Ｂの端部４５外面に固着されている。エンドフラップ３８には、横方向へ延びる帯状の胴周り用弾性部材４７が収縮可能に取り付けられている。胴周り用弾性部材４７は、表裏面シート１Ｂ，３１の間に介在し、それらシート１Ｂ，３１の内面に固着されている。
【００４７】
サイドフラップ３９は、コア３２の側縁３７から横方向外方へ延びる表裏面シート１Ｂ，３１の側部４８，４９と防漏シート４０の固定側部４１とから形成されている。サイドフラップ３９では、コア３２の側縁３７から横方向外方へ表面シート１Ｂの側部４８がわずかに延び、側部４８からさらに横方向外方へ裏面シート３１の側部４９と防漏シート４０の固定側部４１とが延びている。サイドフラップ３９では、表裏面シート１Ｂ，３１の側部４８，４９と防漏シート４０の固定側部４１とが重なり合い、側部４１，４８，４９においてそれらシート１Ｂ，３１，４０どうしが固着されている。サイドフラップ３９には、縦方向へ延びる複数条の脚周り用弾性部材５０が収縮可能に取り付けられている。脚周り用弾性部材５０は、裏面シート３１の側部４９と防漏シート４０の固定側部４１との間に介在し、それらシート３１，４０の内面に固着されている。
【００４８】
後胴周り域３５のサイドフラップ３９には、プラスチックフィルムから形成された可撓性のテープファスナ５１が取り付けられている。テープファスナ５１は、横方向へ延びる固定端部５２と自由端部５３とを有する。固定端部５２は、裏面シート３１の側部４９と防漏シート４０の固定側部４１との間に介在し、それらシート３１，４０の内面に固着されている。自由端部５３の内面には、粘着剤（図示せず）が塗布されている。自由端部５３は、横方向内方へ折曲された状態にあり、粘着剤を介して防漏シート４０の側部４１に剥離可能に仮着されている。前胴周り域３３には、テープファスナ５１の自由端部５３を着脱可能に止着する可撓性のターゲットテープ５４が取り付けられている。ターゲットテープ５４は、プラスチックフィルムから形成され、横方向へ長い矩形を呈する。ターゲットテープ５４は、裏面シート３１の外面に固着されている。
【００４９】
おむつ３０を着用するには、後胴周り域３５のサイドフラップ３９を前胴周り域３３のサイドフラップ３９の外側に重ね合わせ、粘着剤を介してテープファスナ５１の自由端部５３をターゲットテープ５４に止着して前胴周り域３３と後胴周り域３５とを連結する。前後胴周り域３３，３５が連結されたおむつ３０には、胴周り開口とその下方に一対の脚周り開口とが形成される（図示せず）。
【００５０】
おむつ３０を着用すると、表面シート１Ｂの綿体５が着用者の股間部に接する。おむつ３０は、不織布２の上方へ起毛するフィラメント３が綿体５を形成し、綿体５が高い圧縮性と良好な柔軟性とを有するので、表面シート１Ｂが不織布２のみから形成されている場合と比較し、表面シート１Ｂの肌触りがよく、おむつ３０の着用感が向上する。
【００５１】
おむつ３０の着用中に排泄された尿は、綿体５の毛細管現象によって綿体５に滲入した後、不織布２を透過してコア３２に吸収、保持される。おむつ３０では、綿体５の嵩が前胴周り域３３から股下域３４に向かって次第に高くなり、股下域３４に位置する綿体５に尿を多量に吸収させることができる。おむつ３０では、前胴周り域３３に位置する綿体５に滲入した尿が不織布２に素早く達する一方、尿が前胴周り域３３から股下域３４に向かって流動しようとしても、尿の縦方向への流動が綿体５によって阻止され、尿が後胴周り域３５に拡散することを防ぐことができる。また、おむつ３０は、３つの綿体が横方向へ並んでいるので、尿がサイドフラップ３９に向かって流動しようとしても、尿の横方向への流動がそれら綿体５によって阻止され、サイドフラップ３９からの尿の横漏れを防ぐことができる。
【００５２】
裏面シート１１，３１や防漏シート４０には、疎水性繊維不織布、通気不透液性プラスチックフィルム、２枚以上の疎水性繊維不織布をラミネートした複合不織布、疎水性繊維不織布と通気不透液性プラスチックフィルムとをラミネートした複合シートのいずれかを使用することができる。裏面シート１１，３１や防漏シート４０には、メルトブローン製法によって製造された繊維不織布とスパンボンド製法によって製造された繊維不織布とをラミネートした複合不織布（ＳＭ不織布またはＳＭＳ不織布）を使用することもできる。
【００５３】
疎水性繊維不織布には、スパンレース、ニードルパンチ、メルトブローン、サーマルボンド、スパンボンド、ケミカルボンドの各製法により製造されたものを使用することができる。疎水性繊維不織布は、撥水処理が施された熱可塑性合成樹脂繊維から作られていることが好ましいが、合成樹脂繊維に撥水処理が施されていなくてもよい。疎水性繊維不織布を形成する合成樹脂繊維としては、表面シート２と同一のものを使用することができる。疎水性繊維不織布は、熱可塑性エラストマー樹脂を溶融、紡糸した伸縮性繊維から作られることで、弾性的な伸縮性を有していてもよい。
【００５４】
表裏面シート１Ａ，１Ｂ，１１，３１どうしの固着、シート１Ａ，１Ｂ，１１，３１に対するコア１２，３２の固着、シート１Ｂ，３１に対する防漏シート４０の固着、シート１Ｂ，３１，４０に対する弾性部材４４，４７，５０の固着には、接着剤、または、超音波接合や熱プレス接合等の熱融着の技術を利用することができる。
【００５５】
接着剤には、ホットメルト型接着剤、アクリル系接着剤、ゴム系接着剤を使用することができる。接着剤は、表裏面シート１Ａ，１Ｂ，１１，３１や防漏シート４０にスパイラル状やジグザグ状、ドット状、縞状のうちのいずれかの態様で塗布することが好ましい。接着剤をそのような態様でシート１Ａ，１Ｂ，１１，３１，４０に塗布すると、それらシート１Ａ，１Ｂ，１１，３１，４０に接着剤が塗布された塗布域と接着剤が塗布されていない非塗布域とが形成され、シート１Ａ，１Ｂ，１１，３１，４０どうしが断続的に固着される。
【００５６】
コア１２，３２は、フラッフパルプと高吸収性ポリマー粒子との混合物、または、フラッフパルプと高吸収性ポリマー粒子と熱可塑性合成樹脂繊維との混合物であり、所定の厚みに圧縮されている。コア１２，３２は、それの型崩れやポリマー粒子の脱落を防止するため、全体がティッシュペーパーに包被されていることが好ましい。
【００５７】
表面シート１Ａ，１Ｂは、それを使用する使い捨て着用物品に特に限定はなく、生理用ナプキン１０や着用時に前後胴周り域を連結するオープン型のおむつ３０の他に、前後胴周り域のサイドフラップがあらかじめ連結されて胴周り開口と一対の脚周り開口とが形成されたパンツ型の使い捨ておむつにも使用することができ、使い捨て尿とりパッドや使い捨て母乳パッドにも使用することができる。
【００５８】
【発明の効果】
本発明にかかる透液性表面シートによれば、不織布の外面から上方へ起毛する複数条のフィラメントから綿体が形成され、綿体が高い圧縮性と良好な柔軟性とを有するので、着用者の肌に接するシートの肌触りを向上させることができる。この表面シートは、不織布とともに綿体が自由に変形し、綿体が着用者の動作に追従することができる。この表面シートは、使い捨て着用物品の肌当接側に配置することで物品の着用感が向上するので、着用物品に使用するシート素材として好適である。
【００５９】
フィラメントの自由部が互いに交絡している透液性表面シートは、フィラメントから形成された綿体の圧縮性と柔軟性とを一層向上させることができる。この表面シートは、綿体の毛細管現象の作用を強くすることができ、綿体に多量の体液を吸収させることができる。
【００６０】
フィラメントの自由部が捲縮している透液性表面シートは、フィラメントから形成された綿体の圧縮性と柔軟性とを一層向上させることができる。この表面シートは、綿体の毛細管現象の作用を強くすることができ、綿体に多量の体液を吸収させることができる。
【００６１】
綿体の嵩が第２の方向へ向かって異なっている透液性表面シートは、綿体の嵩の小さい側における体液の流動と比較し、綿体の嵩の大きい側における体液の流動が抑制されるので、綿体を介して体液の流動方向や流動量を調節することができる。
【図面の簡単な説明】
【図１】一例として示す透液性表面シートの斜視図。
【図２】図１のＩＩ−ＩＩ線端面図。
【図３】図１のＩＩＩ−ＩＩＩ線矢視断面図。
【図４】他の一例として示す透液性表面シートの斜視図。
【図５】図４のＶ−Ｖ線端面図。
【図６】図４のＶＩ−ＶＩ線端面図。
【図７】図１の表面シートを使用した生理用ナプキンの部分破断斜視図。
【図８】図７のＶＩＩＩ−ＶＩＩＩ線矢視断面図。
【図９】図７のＩＸ−ＩＸ線矢視断面図。
【図１０】図４の表面シートを使用した使い捨ておむつの部分破断斜視図。
【図１１】図１０のＸＩ−ＸＩ線矢視断面図。
【図１２】図１０のＸＩＩ−ＸＩＩ線矢視断面図。
【符号の説明】
１Ａ          透液性表面シート
１Ｂ          透液性表面シート
２            親水性繊維不織布（透液性のベースシート）
３            フィラメント
３ａ          基端部
３ｂ          自由部
４            接合線
５            綿体
１０            生理用ナプキン（使い捨て着用物品）
１１            使い捨ておむつ（使い捨て着用物品）
【図１】
2004261368.tif 000003
【図２】
2004261368.tif 000004
【図３】
2004261368.tif 000005
【図４】
2004261368.tif 000006
【図５】
2004261368.tif 000007
【図６】
2004261368.tif 000008
【図７】
2004261368.tif 000009
【図８】
2004261368.tif 000010
【図９】
2004261368.tif 000011
【図１０】
2004261368.tif 000012
【図１１】
2004261368.tif 000013
【図１２】
2004261368.tif 000014